(57)【特許請求の範囲】
【請求項１】
独立基礎上に構築された建築物が傾斜している状態に対して該独立基礎下にコンパクショングラウチングを施して該建築物を修復する工法において、上記独立基礎間に強固に配筋を介してスラブを密に配設し、その状態で該独立基礎の下にコンパクショングラウチングを施すようにすることを特徴とするコンパクショングラウチングによる建築物の修復工法。
【請求項２】
上記コンパクショングラウチングのグラウト注入管をスラブに予めセットしておくようにすることを特徴とする特許請求の範囲第１項記載のコンパクショングラウチングによる建築物の修復工法。
【請求項３】
上記独立基礎がスポット的なフーティング基礎である態様に対して行うようにすることを特徴とする特許請求の範囲第１項記載のコンパクショングラウチングによる建築物の修復工法。
【請求項４】
上記独立基礎が線状の基礎である態様に対して行うようにすることを特徴とする特許請求の範囲第１項記載のコンパクショングラウチングによる建築物の修復工法。
【発明の詳細な説明】
【０００１】
【産業上の利用分野】
開示技術は、ビルディング等の建築物がフーティング等の独立基礎等を介し構築されている態様において、基礎地盤の不等沈下等により該建築物が傾斜した場合に、該フーティング基礎の下にコンパクショングラウチング施工を行って建築物を修復する施工の技術分野に属する。
【０００２】
【従来の技術】
周知の如く、市民生活の向上は各種産業の発達に追うところが極めて大であり、当該各種産業は各種の事務棟や工場棟等の大型建築物を有しており、かかる建築物は基礎地盤上にべた基礎を介して直接的に構築されている態様もあるが、図５に示す様に、該建築物１が基礎地盤２に対し独立基礎のフーティング基礎３，３をスポット的に介してフローティング状に構築されている様な態様も相当数ある。
【０００３】
【発明が解決しようとする課題】
ところで、当該図５に示す様なフーティング基礎３を介し建築物１がフローティング状に構築されている態様にあっては地震等の地殻変動や地下水位の変動により基礎地盤２が不等沈下等や異常隆起等を生じて傾斜する場合がある。
【０００４】
当該傾斜を修復するべく、例えば、特開平６−１０８４４９号公報，特開平６−１１６９３６号公報等に示されているようなコンパクショングラウチング施工を各スポット状のフーティング基礎３の下側に図６に示す様に行って修復を行うようにする技術が開発されてはいるが、当該コンパクショングラウチング施工に際し注入されるグラウト４はフーティング基礎３のベース直下に注入されはするものの、又、当該グラウト４が相当の高粘性のものであっても、フーティング基礎３，３´  の間の基礎地盤２´  に圧力が逸出し該フーティング基礎３，３´  の基礎地盤２´  を盛り上げて結果的に建築物１の傾斜の修復に至らないという欠点があり、注入したグラウト４が大量に使われて資源的に無駄になるという不都合さがあり、又、結果的にコスト高につながるという不利点があった。
【０００５】
又、建築物１の基礎地盤２に対する独立基礎としてはフーティング基礎３の他に図７に示すような布基礎のような線状の独立基礎３´  の態様もあり、当該線状の独立基礎３´  の周囲にもべた基礎ではない地盤２´  が配置されている。
【０００６】
かかる布基礎のような線状の基礎３´  を介して建築物１が構築されているような態様にあっても同様に傾斜修復を行うべく、当該線状の基礎３´  の要所要所にスポット的にコンパクショングラウチングを１ってグラウト４´  を注入しても同様に圧力が基礎地盤２´  側に逃げてしまう虞があり、不等沈下や隆起に対しスポット的なコンパクショングラウチングを盛り替え式に行うに際しては、当該コンパクショングラウチングのグラウト４´  の注入を高圧にせねばならず、したがって、グラウトポンプの圧力を高める必要があり、大型のグラウトポンプ等が必要であり、施工装置が大がかりになるという不都合さがあった。
【０００７】
【発明の目的】
この出願の発明の目的は上述従来技術に基づくビル等の建築物がフーティング等の独立基礎を介しフローティング状に構築されている態様において、地盤の不等沈下や隆起等により傾斜した状態から修復を行うに際し、コンパクショングラウチング施工を用いて修復を行うに際し、注入したグラウトが独立基礎の周囲の基礎地盤に圧力が逸出してしまう問題点を解決すべき技術的課題とし、独立基礎３にスラブを配筋を介して強固に連結し、当該独立基礎の下部にコンパクショングラウチングを施工しての注入グラウトの逸出がなく、又、注入圧が均一、且つ、小さくてすみ、スムーズに傾斜が修復出来るようにして建設産業における土木技術利用分野に益する優れたコンパクショングラウチングによる建築物の修復工法を提供せんとするものである。
【０００８】
【課題を解決するための手段・作用】
上述目的に沿い先述特許請求の範囲を要旨とするこの出願の発明の構成は、前述課題を解決するために、基礎地盤上にフーティング基礎や布基礎等の線状基礎の独立基礎を介しフローティング状に構築された状態で当該基礎地盤が不等沈下や異常隆起により建築物が傾斜した場合に、当該建築物の傾斜状態を修復するべく当該独立基礎の下部にコンパクショングラウチング施工を行い、グラウトを注入する際に、当該独立基礎の間にそれらの間の基礎地盤をカバーするようにコンクリート等のスラブを強固な配筋を介して連結張設し、そして、当該独立基礎の下部にコンパクショングラウチング施工を行うと、注入グラウトは当該独立基礎に対しスポット的であっても当該独立基礎の回りに対する逸出はなく、圧力は逃げず、しかも、均一に小圧力で傾斜荷重に対する支持が保持出来、スムーズに修復が出来るようにした技術的手段を講じたものである。
【０００９】
【実施例】
次に、この出願の発明の実施例を図１〜図４に基づいて説明すれば以下の通りである。
【００１０】
尚、図５以下と同一態様部分は同一符号を用いて説明するものとする。
【００１１】
図１，図２に示す実施例においてビル等の建築物１はスポット的な独立基礎としてのフーティング基礎３，３…により基礎地盤２に対してフローティング式に構築されており、当該基礎地盤２が不等沈下や異常隆起により建築物１が傾斜した場合にその修復を図るに、各フーティング基礎３，３間にコンクリートスラブ８を図４に示す様に、該フーティング基礎３に対し配筋９により緊密、且つ、強固に面一に連結状態にし、そして、各フーティング基礎３のベースにグラウトの注入管１０を臨ませておく。
【００１２】
そして、該注入管１０を周公知のコンパクショングラウチング装置６のポンプに対しジョイント７で接続してグラウト４を注入すると、注入されたグラウト４は図６に示した在来態様の如く、地盤２´  に抜けることはなくスラブ８に阻止されて圧力が抜けることなく、したがって、逸出はしない。
【００１３】
そのために各フーティング基礎３のベースに対するグラウト４の注入は均一圧力でしかも、小さな圧力で荷重を支持し、盛り替え的なグラウト４の注入によりスムーズに建築物１の傾斜は修復していく。
【００１４】
勿論、この間スラブ８は配筋９により各フーティング基礎３に連結状態に張設されているために、注入されるグラウト４により盛り上ったり、剪断によりフーティング基礎３から切断されることはなく、上述機能を充分に終期まで維持することが出来る。
【００１５】
次に、図３に示す実施例の態様は独立基礎３´  が布基礎等のような線状の態様であり、該独立基礎３´  ，３´  間に弊空間にも上述実施例同様に配筋９を介してスラブ８が緊結張設されており、当該実施例においてはコンパクショングラウチング装置６から注入されるグラウト４はスポット的に独立基礎３´  の部分は勿論のこと、スラブ８の部分に対して行っても充分にその圧力が抜けたり、逸散することなく、充分に荷重を支持して傾斜を修復することが出来るものである。
【００１６】
尚、この出願の発明の実施態様は上述実施例に限るものでないことは勿論であり、例えば、独立基礎に緊結されるスラブは当該独立基礎の周囲全体に均一に緊結張設される態様ばかりでなく、図６に示す様なフーティング基礎３のベースから注入されたグラウト４が基礎地盤２´  を盛り上げるように圧力が抜け、逸出することが防げる領域分だけフーティング基礎３に対して配筋９で強固に連結するフランジ状のスラブであっても良い等種々の態様が採用可能である。
【００１７】
【発明の効果】
以上、この出願の発明によれば、基本的にビル等の建築物がフーティング基礎や布基礎等の線状基礎等の独立型基礎を介してフローティングに構築されている態様において基礎地盤が不等沈下や異常隆起により建築物が傾斜したような場合に、該独立型の基礎の下部に対しコンパクショングラウチングを施工し、高粘性のグラウトを注入して修復するに際し、該独立基礎の間に配筋を介してスラブを緊結させることにより独立基礎の下部に注入したグラウトが圧力が抜け、逸出することがないように該スラブが阻止するように働くことから、建築物の傾斜修復がスムーズに行われるという優れた効果が奏される。
【００１８】
又、コンパクショングラウチング施工に際し、注入するグラウトを独立基礎の下部に対しスポット的に注入しても圧力が抜けないために、個々の注入グラウトの圧力が小さくてすみ、コンパクショングラウチング装置のグラウトポンプの出力も小さくてすみ、注入グラウトが逸出しなくてすむために、その使用量が少くてすみ、結果的に施工期間が短く、コストダウンが図れるという優れた効果が奏される。
【００１９】
又、スラブは独立基礎に対し配筋を介して緊結されているために、該独立基礎のベースから逸れてスラブに対し圧力が印加されても該スラブが独立基礎との間で剪断力が作用することによる切断等も避けられるという効果が奏される。
【００２０】
而して、スラブの独立基礎に対する設置に際し、コンパクショングラウチング施工を行うグラウト注入管を予めセットしておくことにより、施工の段取がし易く、施工がスムーズに行われるという効果も奏される。
【図面の簡単な説明】
【図１】この出願の発明の１実施例の概略施工側面図である。
【図２】同、スラットスラブの平面図である。
【図３】別の実施例におけるスラブと独立基礎の取り合い平断面図である。
【図４】独立基礎とスラブの配筋との取り合い関係概略説明平面図である。
【図５】フーティング基礎を介しての建築物の模式側面図である。
【図６】在来態様における建築物に対するコンパクショングラウチング施工を介しての修復態様の模式側面図である。
【図７】同、他の態様の線状基礎に対するコンパクショングラウチングの模式平断面図である。
【符号の説明】
３，３´    独立基礎
１        建築物
４        グラウト
８        スラブ
９        配筋
【図１】
0003612116.tif 000002
【図２】
0003612116.tif 000003
【図３】
0003612116.tif 000004
【図４】
0003612116.tif 000005
【図５】
0003612116.tif 000006
【図６】
0003612116.tif 000007
【図７】
0003612116.tif 000008